(57)【特許請求の範囲】
【請求項１】
背部ベルト、胸部ベルト、腹部ベルト、及びリード連結部材を具え、
前記胸部ベルトの両端は、前記背部ベルトの両端に、それぞれ、第一連結部材及び第二連結部材を介して、前記第一連結部材又は第二連結部材を中心とした前記胸部ベルトと背部ベルトの相対角度を可変に連結され、
前記腹部ベルトの両端は、前記背部ベルトの両端に、それぞれ、第三連結部材及び第四連結部材を介して、前記第三連結部材又は第四連結部材を中心とした前記腹部ベルトと背部ベルトの相対角度を可変に連結され、
前記リード連結部材は、前記第一連結部材又は第二連結部材及び第三連結部材又は第四連結部材を介して前記胸部ベルト又は腹部ベルトに連結され、
前記胸部ベルトと背部ベルトの相対角度及び前記腹部ベルトと背部ベルトの相対角度を固定する角度固定部材を具えたことを特徴とする、
動物用ハーネス。
【請求項２】
前記背部ベルトの長手方向寸法が調節可能に構成されている、請求項１の動物用ハーネス。
【請求項３】
前記角度固定部材が、前記第一乃至第四連結部材に設けられるねじであり、
前記ねじの締め具合により、前記胸部ベルトと背部ベルト又は前記腹部ベルトと背部ベルトの相対角度の固定状態と非固定状態を切り替えることができる、請求項１又は２の動物用ハーネス。
【請求項４】
前記角度固定部材が、前記胸部ベルトと腹部ベルトの隣り合う一端同士及び他端同士を連結する紐部材であり、
前記紐部材を締め又は緩めることにより、前記胸部ベルトと背部ベルト又は前記腹部ベルトと背部ベルトの相対角度を調節できるように構成されている、請求項１又は２の動物用ハーネス。
【発明の詳細な説明】
【技術分野】
【０００１】
本発明は、動物に取付けられる胴輪、特に、動物の背、首又は胸部、及び腹を囲むように装着する動物用ハーネス（以下、単に、「ハーネス」ということもある。）に関する。
【背景技術】
【０００２】
犬などの動物にリードを取付けたい場合などに動物に装着する道具として、首輪やハーネスがある。特に、ハーネスは、動物の首にのみ負担がかかる首輪に比べて、リードを引いた際などに、動物にかかる力が首又は胸部及び腹部に分散されるため、動物の身体への負担が少ないという利点がある。このようなハーネスの例として、以下のものが開発されている。
【先行技術文献】
【特許文献】
【０００３】
【特許文献１】特開２００６−２３０３２０号公報
【特許文献２】特開２０１６−１５４５２３号公報
【０００４】
特許文献１には、簡単な構成で、愛玩動物に装着した胴輪（ハーネス）が愛玩動物から脱落するのを防止するとともに、着脱が容易にできるハーネスが開示されている。
【０００５】
特許文献２には、引き綱とハーネスを連結する部分に環状引き綱結合部を設けることで、散歩中の犬のハーネスからのすり抜けを防止することができるハーネスが開示されている。
【発明の概要】
【発明が解決しようとする課題】
【０００６】
特許文献１や２に開示されているハーネスは、着脱容易性や不意の脱落を防止するということに着目して開発されたものである。このため、ハーネスが動物の体にフィットするかどうかという点は探求されておらず、それ故、ハーネスが動物の体にフィットしないことによる、動き難さやリードを引いたときなどに動物にかかる負荷についてはあまり考慮されていない。
【０００７】
そこで、本発明は、前述した点に鑑み、動物の体にフィットし、負荷が掛かり難く、動物が動き易いハーネスを提供することを目的とする。
【課題を解決するための手段】
【０００８】
本発明は、背部ベルト、胸部ベルト、腹部ベルト、及びリード連結部材を具え、
前記胸部ベルトの両端は、前記背部ベルトの両端に、それぞれ、第一連結部材及び第二連結部材を介して、前記第一連結部材又は第二連結部材を中心とした前記胸部ベルトと背部ベルトの相対角度を可変に連結され、
前記腹部ベルトの両端は、前記背部ベルトの両端に、それぞれ、第三連結部材及び第四連結部材を介して、前記第三連結部材又は第四連結部材を中心とした前記腹部ベルトと背部ベルトの相対角度を可変に連結され、
前記リード連結部材は、前記第一連結部材又は第二連結部材及び第三連結部材又は第四連結部材を介して前記胸部ベルト又は腹部ベルトに連結され、
前記胸部ベルトと背部ベルトの相対角度及び前記腹部ベルトと背部ベルトの相対角度を固定する角度固定部材を具えたことを特徴とする動物用ハーネスによって前記課題を解決した。
【発明の効果】
【０００９】
本発明によれば、胸部ベルト及び腹部ベルトの背部ベルトに対する相対角度を任意の角度で固定することができるため、胸部ベルト、腹部ベルト、及び背部ベルトの相対角度を、ハーネスを装着させる動物の体に合わせて調整することができる。また、リード連結部材は、胸部ベルト又は腹部ベルトに連結されているので、動物の背中側に引かれるリードによって背部ベルトが動物の背中から浮いてしまうことを防止することができる。よって、ハーネス、特に胸部ベルト及び腹部ベルトを動物の体にフィットさせることができ、リードを引いたときの負荷を胸部ベルトと腹部ベルトに分散させることができるため、負荷が掛かり難く、動物が動き易いハーネスとすることができる。
【００１０】
また、背部ベルトの長手方向寸法が調節可能な構成とすれば、胸部ベルト、腹部ベルト、及び背部ベルトを動物の体に密着させ、フィットさせることができる。
【００１１】
角度固定部材は、第一乃至第四連結部材に設けられるねじとし、ねじの締め具合により、胸部ベルト、腹部ベルト、及び背部ベルトの相対角度の固定状態と非固定状態を切り替えることができる構成とすることができる。本構成とすることにより、胸部ベルト及び腹部ベルトの背部ベルトに対する相対角度を確実に固定することができる。
【００１２】
また、角度固定部材を、胸部ベルトと腹部ベルトの隣り合う一端同士及び他端同士を連結する紐部材とし、紐部材を締め又は緩めることにより、胸部ベルト、腹部ベルト、及び背部ベルトの相対角度を簡便に調節できるようすることもできる。
【図面の簡単な説明】
【００１３】
【図１】本発明の第一実施形態のハーネスの平面図。
【図２】図１の要部拡大縦断面図。
【図３】図１の要部拡大側面図。
【図４】本発明の第一実施形態のハーネスを装着した犬の側面図。
【図５】本発明の第二実施形態のハーネスの要部拡大側面図。
【発明を実施するための形態】
【００１４】
本発明の実施例を、図１〜５を参照して説明する。但し、本発明はこの実施形態に限定されるものではない。
【００１５】
図１に示すように、本発明の動物用ハーネス１０は、背部ベルト２０、胸部ベルト１２、腹部ベルト１４、及びリード連結部材３２，３４を具えている。ハーネス１０を装着させる動物に対し、背部ベルト２０は動物の背中、胸部ベルト１２は動物の胸（首を含む）、腹部ベルト１４は動物の腹に対応する部材である（図３参照）。
【００１６】
胸部ベルト１２の両端は、背部ベルト２０の両端に、それぞれ、第一連結部材３６及び第二連結部材３８を介して連結されている。胸部ベルト１２と背部ベルト２０の相対角度は、第一連結部材３６又は第二連結部材３８を中心として可変に構成されている。
【００１７】
一方、腹部ベルト１４の両端は、背部ベルト２０の両端に、それぞれ、第三連結部材３７及び第四連結部材３９を介して連結されている。腹部ベルト１４と背部ベルト２０の相対角度も、第三連結部材３７又は第四連結部材３９を中心として可変に構成されている。
【００１８】
リード連結部材３２，３４は、第一乃至第四連結部材３６〜３９を介して胸部ベルト１２及び腹部ベルト１４に連結されている。リード５０（図４参照）は、リード連結部材３２に取付けられるリード連結金具４２（図３参照）とリード連結部材３４に取付けられるリード連結金具４４（図４参照）を介して連結することができる。本構成により、リード５０を引いたときの負荷を胸部ベルト１２と腹部ベルト１４に分散させることができる。また、リード連結部材３２，３４は、胸部ベルト１２又は腹部ベルト１４に連結されることになるので、動物の背中側に引かれるリード５０によって背部ベルト２０が動物の背中から浮いてしまうことを防止することができる。なお、リード連結部材３２，３４を第一連結部材３６又は第二連結部材３８のいずれかを介して胸部ベルト１２に、第三連結部材３７又は第四連結部材３９のいずれかを介して腹部ベルト１４に連結する構成とすることもできる。また、リード連結部材３２，３４を胸部ベルト１２のみ、或いは、腹部ベルト１４のみに連結する構成とすることも可能である。
【００１９】
背部ベルト２０は、第一背部ベルト２２と第二背部ベルト２４で構成されている。第一背部ベルト２２と第二背部ベルト２４の対向する面には、それぞれ、面ファスナー２６，２８が取付けられており、脱着可能に構成されている。面ファスナー２６，２８の係合範囲を調節することにより、背部ベルト２０の長手方向寸法を調節可能である。第一背部ベルト２２は、第一連結部材３６及び第三連結部材３７を介して、胸部ベルト１２、腹部ベルト１４、及びリード連結部材３２と連結されている。一方、第二背部ベルト２４は、第二連結部材３８及び第四連結部材３９を介して、胸部ベルト１２、腹部ベルト１４、及びリード連結部材３４と連結されている。背部ベルト２０の長手方向寸法を調節するための構造としては、面ファスナー２６，２８が好適であるが、これに限られるものではない。
【００２０】
また、ハーネス１０の第一乃至第四連結部材３６〜３９は、角度固定部材を兼ねている。図２を用いて第二連結部材３８を例に説明する。第二連結部材３８は、雄ねじ部材３８ａと雌ねじ部材３８ｂで構成されている。雄ねじ部材３８ａと雌ねじ部材３８ｂは、背部ベルト２０の第二背部ベルト２４、胸部ベルト１２、及びリード連結部材３４を挟持している。第二連結部材３８のねじ３８ｃを締めることにより、雄ねじ部材３８ａと雌ねじ部材３８ｂが第二背部ベルト２４、胸部ベルト１２、及びリード連結部材３４を圧縮して挟持するので、胸部ベルト１２の取付角度が固定される。一方、第二連結部材３８のねじ３８ｃを緩めることにより、胸部ベルト１２の取付角度を調節することができる。第一連結部材３６、第三連結部材３７、第四連結部材３９も同様の構成である。
【００２１】
ここで、第一連結部材３６と第三連結部材３７で連結されている胸部ベルト１２と腹部ベルト１４の一端の構成と、第二連結部材３８と第四連結部材３９で連結されている胸部ベルト１２と腹部ベルト１４の他端の構成は同様であるため、胸部ベルト１２と腹部ベルト１４の一端の構成について説明する。
【００２２】
胸部ベルト１２と腹部ベルト１４の一端は、第一連結部材３６と第三連結部材３７を介して連結されており、図３に示すように、第一連結部材３６と第三連結部材３７のねじ（図示省略）を緩めることにより、第一連結部材３６又は第二連結部材３７を中心として、胸部ベルト１２、腹部ベルト１４、及び背部ベルト２０の相対角度を変更することができる。そして、第一連結部材３６と第三連結部材３７のねじ（図示省略）を締めることにより、胸部ベルト１２、腹部ベルト１４、及び背部ベルト２０の相対角度を確実に固定することができる。すなわち、ねじの締め具合により、胸部ベルト１２、腹部ベルト１４、及び背部ベルト２０の相対角度の固定状態と非固定状態を切り替えることができる。
【００２３】
胸部ベルト１２と腹部ベルト１４の一端は、第一連結部材３６又は第二連結部材３７を中心に胸部ベルト１２と腹部ベルト１４を回動させられるように、所定の間隔が空けられている。また、胸部ベルト１２と腹部ベルト１４の一端の対向面には、第一連結部材３６又は第二連結部材３７を中心に胸部ベルト１２と腹部ベルト１４を回動させたときに、所定の角度の範囲内で胸部ベルト１２と腹部ベルト１４の一端同士が干渉しないように、カーブ縁部１３，１５がそれぞれ設けられている。
【００２４】
上記の構成を有するハーネス１０を動物Ｄに装着させた状態を図４に示す。ハーネス１０の胸部ベルト１２と腹部ベルト１４を動物Ｄの胸と腹に当てるように装着させる際、第一乃至第四連結部材３６〜３９により、胸部ベルト１２、腹部ベルト１４、及び背部ベルト２０の相対角度を動物Ｄの体に合わせて調整した上で固定する。そして、背部ベルト２０の面ファスナー２６，２８の係合範囲を調節することにより、背部ベルト２０の長手方向寸法を動物Ｄの体に合わせて調整する。このようにして、ハーネス１０の胸部ベルト１２、腹部ベルト１４、背部ベルト２０を動物Ｄの体に密着させ、フィットさせることができる。また、リード５０を引いたときの負荷を胸部ベルト１２と腹部ベルト１４に分散させることができるため、負荷が掛かり難く、動物Ｄが動き易いハーネス１０とすることができる。
【００２５】
胸部ベルト１２、腹部ベルト１４、及び背部ベルト２０の動物Ｄに接する面は、動物Ｄの体に負担を掛けず、通気性のよい素材、例えば、クッション材と有するニット素材などにすることができる。
【００２６】
図５は、本発明の第二実施形態のハーネス１０ａの要部拡大側面図である。基本的な構成は、ハーネス１０と同様であるため、異なる点について説明する。
【００２７】
ハーネス１０ａは、第一背部ベルト２２ａ、胸部ベルト１２ａ、及びリード連結部材３２ａが第一連結部材３６ａを介して連結されており、第一背部ベルト２２ａ、腹部ベルト１４ａ、及びリード連結部材３２ａが第三連結部材３７ａを介して連結されている。第一連結部材３２ａと第三連結部材３７ａは、かしめ部材であり、胸部ベルト１２ａと腹部ベルト１４ａは、それぞれ、第一連結部材３２ａと第三連結部材３７ａを中心に回動可能に構成されている。
【００２８】
また、ハーネス１０ａは、紐部材６２と紐長さ調節部材６４からなる角度固定部材６０を具えている。胸部ベルト１２ａと腹部ベルト１４ａの一端のそれぞれには、孔部１６ａ，１８ａが設けられており、孔部１６ａ，１８ａには、紐部材６２が通されている。すなわち、紐部材６２は、胸部ベルト１２ａと腹部ベルト１４ａの隣り合う一端同士を連結している。本構成により、紐部材６２を締め又は緩め、紐長さ調節部材６４で紐部材６２の締め具合を固定することにより、胸部ベルト１２ａ、腹部ベルト１４ａ、及び背部ベルト２０ａの相対角度を簡便に調節することができる。
【００２９】
以上に説明したとおり、本発明によれば、動物の体にフィットし、負荷が掛かり難く、動物が動き易いハーネスとすることができる。
【符号の説明】
【００３０】
１０，１０ａ  ハーネス
１２    胸部ベルト
１４    腹部ベルト
２０    背部ベルト
３２，３４  リード連結部材
３６    第一連結部材（角度固定部材）
３７    第三連結部材（角度固定部材）
３８    第二連結部材（角度固定部材）
３９    第四連結部材（角度固定部材）
６０    角度固定部材
６２    紐部材
【要約】      （修正有）【課題】動物の体にフィットし、負荷が掛かり難く、動物が動き易いハーネスを提供する。【解決手段】動物用ハーネス１０は、背部ベルト２０、胸部ベルト１２、腹部ベルト１４、及びリード連結部材３２，３４を具えている。胸部ベルトの両端は、背部ベルトの両端に、それぞれ、第一連結部材３６及び第二連結部材３８を介して連結され、腹部ベルトの両端は、背部ベルトの両端に、それぞれ、第三連結部材３７及び第四連結部材３９を介して連結され、リード連結部材は、第一乃至第四連結部材を介して胸部ベルト及び腹部ベルトに連結されている。第一乃至第四連結部材は、角度固定部材を兼ねているので、胸部ベルト及び腹部ベルトの背部ベルトに対する相対角度を任意の角度で固定することができるから、胸部ベルト及び腹部ベルトを動物の体にフィットさせることができ、負荷が掛かり難く、動物が動き易いハーネスとすることができる。【選択図】図１【図１】
0006747730.tif 000002
【図２】
0006747730.tif 000003
【図３】
0006747730.tif 000004
【図４】
0006747730.tif 000005
【図５】
0006747730.tif 000006